(57)【要約】【課題】本発明は、上記設計変更連絡書の配布や回収に手間を要さず、記入漏れや記入ミスをなくし、正確な進捗状況を把握することができる。【解決手段】進捗管理システム１００の処理手段２０２は、通信手段２００を介して生産管理システム１０５から設計変更情報を受信し、記憶手段２０１に格納し、設計変更情報と振分基準情報と標準化生成情報とを読み出し、振分基準情報に基づいて設計変更情報を振分け、設計変更情報と標準化生成情報とに基づいて標準化設計変更情報を生成し、担当者端末装置１０２へ送信し、入力後標準化設計変更情報を受信し、記憶手段２０１から進捗管理生成情報を読み出し、入力後標準化設計変更情報と進捗管理生成情報とに基づいて進捗管理情報を生成し、進捗管理情報の取得要求を受信により、進捗管理情報を読み出し、送信する。【選択図】　図１
2004118248.tif 000002
【特許請求の範囲】
【請求項１】
端末装置と生産管理システムと通信回線を介して情報を通信する通信手段と、
情報を格納する記憶手段と、
これら各手段の動作を制御する処理手段とを備え、
前記記憶手段は、前記通信手段を介して受信した情報と、該受信した情報のうち設計変更情報を担当者に振分けるための振分基準情報と、該設計変更情報を標準化した標準化設計変更情報を生成するための標準化生成情報と、該標準化設計変更情報に情報が入力された入力後標準化設計変更情報に基づいて進捗管理情報を生成するための進捗管理生成情報とを格納し、
前記処理手段が、
前記通信手段を介して前記生産管理システムから設計変更情報を受信すること、
該受信した設計変更情報を前記記憶手段に格納すること、
前記記憶手段に格納された設計変更情報と振分基準情報と標準化生成情報とを読み出すこと、
該読み出した振分基準情報に基づいて設計変更情報を振分けること、
該振分けられた設計変更情報と前記読み出した標準化生成情報とに基づいて標準化設計変更情報を生成すること、
該生成された標準化設計変更情報を前記端末装置のうち担当者端末装置へ送信すること、
該送信された標準化設計変更情報に対して、情報が入力された入力後標準化設計変更情報を前記担当者端末装置から受信すること、
前記記憶手段から進捗管理生成情報を読み出すこと、
前記受信した入力後標準化設計変更情報と前記読み出した進捗管理生成情報とに基づいて進捗管理情報を生成すること、
該生成した進捗管理情報を前記記憶手段に格納すること、
前記進捗管理情報の取得要求を前記端末装置から受信すること、
該受信した取得要求に基づいて、前記記憶手段から進捗管理情報を読み出すこと、
該読み出した進捗管理情報を取得要求した前記端末装置へ送信すること、
を特徴とする進捗管理システム。
【請求項２】
端末装置と生産管理システムと通信回線を介して情報を通信する通信手段と、
情報を格納する記憶手段と、
これら各手段の動作を制御する処理手段とを備え、
前記記憶手段は、前記通信手段を介して受信した情報と、該受信した情報のうち設計変更情報を担当者に振分けるための振分基準情報と、該設計変更情報を標準化した標準化設計変更情報を生成するための標準化生成情報と、該標準化設計変更情報に情報が入力された入力後標準化設計変更情報に基づいて進捗管理情報を生成するための進捗管理生成情報とを格納し、
前記処理手段が、
前記通信手段を介して前記生産管理システムから設計変更情報を受信すること、
該受信した設計変更情報を前記記憶手段に格納すること、
前記記憶手段に格納された設計変更情報と振分基準情報と標準化生成情報とを読み出すこと、
該読み出した設計変更情報と標準化生成情報とに基づいて標準化設計変更情報を生成すること、
該生成された標準化設計変更情報を前記読み出した振分基準情報に基づいて振分けること、
該振分けられた標準化設計変更情報を前記端末装置のうち担当者端末装置へ送信すること、
該送信された標準化設計変更情報に対して、情報が入力された入力後標準化設計変更情報を前記担当者端末装置から受信すること、
前記記憶手段から進捗管理生成情報を読み出すこと、
前記受信した入力後標準化設計変更情報と前記読み出した進捗管理生成情報とに基づいて進捗管理情報を生成すること、
該生成した進捗管理情報を前記記憶手段に格納すること、
前記進捗管理情報の取得要求を前記端末装置から受信すること、
該受信した取得要求に基づいて、前記記憶手段から進捗管理情報を読み出すこと、
該読み出した進捗管理情報を取得要求した前記端末装置へ送信すること、
を特徴とする進捗管理システム。
【請求項３】
請求項１乃至２に記載の進捗管理システムにおいて、
前記処理手段は、前記入力後標準化設計変更情報を前記端末装置のうち仕入先端末装置へ送信することを特徴とする進捗管理システム。
【請求項４】
請求項１乃至２に記載の進捗管理システムにおいて、
前記処理手段は、
前記入力後標準化設計変更情報に基づいて前記端末装置のうち仕入先端末装置への問い合わせ情報を生成すること、
該生成した問い合わせ情報を前記仕入先端末装置へ送信すること、
を特徴とする進捗管理システム。
【請求項５】
請求項１乃至２に記載の進捗管理システムにおいて、
前記処理手段は、当該進捗管理システムのオペレータと、該処理手段が処理した日時、処理内容、及び処理件数とを関連付けて前記記憶手段に格納することを特徴とする進捗管理システム。
【請求項６】
請求項１乃至２に記載の進捗管理システムにおいて、
前記進捗管理情報は、所定の業種と該業種に関連する作業項目との関連付けの情報を含むことを特徴とする進捗管理システム。
【請求項７】
通信手段と記憶手段と処理手段とを有する進捗管理システムに搭載可能である進捗管理システム動作プログラムであって、
前記進捗管理システムの記憶手段に、前記通信手段を介して受信した情報と、該受信した情報のうち設計変更情報を担当者に振分けるための振分基準情報と、該設計変更情報を標準化した標準化設計変更情報を生成するための標準化生成情報と、該標準化設計変更情報に情報が入力された入力後標準化設計変更情報に基づいて進捗管理情報を生成するための進捗管理生成情報とを格納し、
前記処理手段に、
前記通信手段を介して前記生産管理システムから設計変更情報を受信するステップと、
該受信した設計変更情報を前記記憶手段に格納するステップと、
前記記憶手段に格納された設計変更情報と振分基準情報と標準化生成情報とを読み出すステップと、
該読み出した振分基準情報に基づいて設計変更情報を振分けるステップと、
該振分けられた設計変更情報と前記読み出した標準化生成情報とに基づいて標準化設計変更情報を生成するステップと、
該生成された標準化設計変更情報を前記端末装置のうち担当者端末装置へ送信するステップと、
該送信された標準化設計変更情報に対して、情報が入力された入力後標準化設計変更情報を前記担当者端末装置から受信するステップと、
前記記憶手段から進捗管理生成情報を読み出すステップと、
前記受信した入力後標準化設計変更情報と前記読み出した進捗管理生成情報とに基づいて進捗管理情報を生成するステップと、
該生成した進捗管理情報を前記記憶手段に格納するステップと、
前記進捗管理情報の取得要求を前記端末装置から受信するステップと、
該受信した取得要求に基づいて、前記記憶手段から進捗管理情報を読み出すステップと、
該読み出した進捗管理情報を取得要求した前記端末装置へ送信するステップと、
を実行させるための進捗管理システム動作プログラム。
【請求項８】
通信手段と記憶手段と処理手段とを有する進捗管理システムに搭載可能である進捗管理システム動作プログラムであって、
前記進捗管理システムの記憶手段に、前記通信手段を介して受信した情報と、該受信した情報のうち設計変更情報を担当者に振分けるための振分基準情報と、該設計変更情報を標準化した標準化設計変更情報を生成するための標準化生成情報と、該標準化設計変更情報に情報が入力された入力後標準化設計変更情報に基づいて進捗管理情報を生成するための進捗管理生成情報とを格納し、
前記処理手段に、
前記通信手段を介して前記生産管理システムから設計変更情報を受信するステップと、
該受信した設計変更情報を前記記憶手段に格納するステップと、
前記記憶手段に格納された設計変更情報と振分基準情報と標準化生成情報とを読み出すステップと、
該読み出した設計変更情報と標準化生成情報とに基づいて標準化設計変更情報を生成するステップと、
該生成された標準化設計変更情報を前記読み出した振分基準情報に基づいて振分けるステップと、
該振分けられた標準化設計変更情報を前記端末装置のうち担当者端末装置へ送信するステップと、
該送信された標準化設計変更情報に対して、情報が入力された入力後標準化設計変更情報を前記担当者端末装置から受信するステップと、
前記記憶手段から進捗管理生成情報を読み出すステップと、
前記受信した入力後標準化設計変更情報と前記読み出した進捗管理生成情報とに基づいて進捗管理情報を生成するステップと、
該生成した進捗管理情報を前記記憶手段に格納するステップと、
前記進捗管理情報の取得要求を前記端末装置から受信するステップと、
該受信した取得要求に基づいて、前記記憶手段から進捗管理情報を読み出すステップと、
該読み出した進捗管理情報を取得要求した前記端末装置へ送信するステップと、
を実行させるための進捗管理システム動作プログラム。
【請求項９】
請求項７乃至８に記載の進捗管理システム動作プログラムにおいて、
前記処理手段に、前記入力後標準化設計変更情報を前記端末装置のうち仕入先端末装置へ送信するステップを実行させるための進捗管理システム動作プログラム。
【請求項１０】
請求項７乃至８に記載の進捗管理システム動作プログラムにおいて、
前記処理手段に、
前記入力後標準化設計変更情報に基づいて前記端末装置のうち仕入先端末装置への問い合わせ情報を生成するステップと、
該生成した問い合わせ情報を前記仕入先端末装置へ送信するステップと、
を実行させるための進捗管理システム動作プログラム。
【請求項１１】
請求項７乃至８に記載の進捗管理システム動作プログラムにおいて、
前記処理手段に、当該進捗管理システムのオペレータと、該処理手段が処理した日時、処理内容、及び処理件数とを関連付けて前記記憶手段に格納するステップを実行させるための進捗管理システム動作プログラム。
【請求項１２】
請求項７乃至８に記載の進捗管理システム動作プログラムにおいて、
前記進捗管理情報に所定の業種と該業種に関連する作業項目との関連付けの情報を含み、
前記処理手段に、前記各ステップを実行させるための進捗管理システム動作プログラム。
【発明の詳細な説明】
【０００１】
【発明の属する技術分野】
本発明は、進捗管理システム及び進捗管理システム動作プログラムにかかり、特に、設計変更連絡書の配布や回収に手間を要さず、記入漏れや記入ミスをなくし、正確な進捗状況を把握する進捗管理システム及び進捗管理システム動作プログラムに関する。
【０００２】
【従来の技術】
従来の設計変更業務は、担当者が紙面による設計変更連絡書に対して必要な事項を記載し、データ入力者がこの記載事項を見ながらコンピュータに入力し、管理していた。なお、記載すべき先行技術文献情報はない。
【０００３】
【発明が解決しようとする課題】
しかしながら、上記の紙面による設計変更連絡書は配布や回収に手間を要し、また記入漏れや記入ミスが起こりやすいため、問い合わせ等の無駄な付帯業務があった。また、設計変更業務が担当者まかせになってしまい、正確な進捗状況を把握することが困難でもあった。
【０００４】
【発明の目的】
そこで、本発明は、上記設計変更連絡書の配布や回収に手間を要さず、記入漏れや記入ミスをなくし、正確な進捗状況を把握することができる進捗管理システム及び進捗管理システム動作プログラムを提供することを目的とする。
【０００５】
【課題を解決するための手段】
上記課題を解決するために、請求項１の発明は、端末装置と生産管理システムと通信回線を介して情報を通信する通信手段と、情報を格納する記憶手段と、これら各手段の動作を制御する処理手段とを備え、記憶手段は、通信手段を介して受信した情報と、該受信した情報のうち設計変更情報を担当者に振分けるための振分基準情報と、該設計変更情報を標準化した標準化設計変更情報を生成するための標準化生成情報と、該標準化設計変更情報に情報が入力された入力後標準化設計変更情報に基づいて進捗管理情報を生成するための進捗管理生成情報とを格納し、処理手段が、通信手段を介して生産管理システムから設計変更情報を受信し、該受信した設計変更情報を記憶手段に格納し、記憶手段に格納された設計変更情報と振分基準情報と標準化生成情報とを読み出し、該読み出した振分基準情報に基づいて設計変更情報を振分け、該振分けられた設計変更情報と読み出した標準化生成情報とに基づいて標準化設計変更情報を生成し、該生成された標準化設計変更情報を端末装置のうち担当者端末装置へ送信し、該送信された標準化設計変更情報に対して、情報が入力された入力後標準化設計変更情報を担当者端末装置から受信し、記憶手段から進捗管理生成情報を読み出し、受信した入力後標準化設計変更情報と読み出した進捗管理生成情報とに基づいて進捗管理情報を生成し、該生成した進捗管理情報を記憶手段に格納し、進捗管理情報の取得要求を端末装置から受信し、該受信した取得要求に基づいて記憶手段から進捗管理情報を読み出し、該読み出した進捗管理情報を取得要求した端末装置へ送信する。ここで、「振分基準情報」とは、設計変更情報を担当者に振分けるための指標となるものであって、例えば、設計変更が発生した機種や担当者の技術力等である。また、「標準化設計変更情報」とは、記入ミスや記入漏れが発生しないように形式を統一した設計変更情報である。具体的には、後述する図３に示すものである。また、「標準化生成情報」とは、記入ミスや記入漏れが発生しないように統一した設計変更情報の形式を生成するためのものである。例えば、上述のような形式を生成するアプリケーションソフトが該当する。また、「進捗管理情報」とは、設計変更処理の状況を把握するための情報である。具体的には、後述する図４に示すものである。また、「進捗管理生成情報」とは、上記の進捗管理情報を生成するためのものであって、例えば、進捗管理情報を生成するアプリケーションソフトが該当する。
【０００６】
請求項２の発明は、端末装置と生産管理システムと通信回線を介して情報を通信する通信手段と、情報を格納する記憶手段と、これら各手段の動作を制御する処理手段とを備え、記憶手段は、通信手段を介して受信した情報と、該受信した情報のうち設計変更情報を担当者に振分けるための振分基準情報と、該設計変更情報を標準化した標準化設計変更情報を生成するための標準化生成情報と、該標準化設計変更情報に情報が入力された入力後標準化設計変更情報に基づいて進捗管理情報を生成するための進捗管理生成情報とを格納し、処理手段が、通信手段を介して生産管理システムから設計変更情報を受信し、該受信した設計変更情報を記憶手段に格納し、記憶手段に格納された設計変更情報と振分基準情報と標準化生成情報とを読み出し、該読み出した設計変更情報と標準化生成情報とに基づいて標準化設計変更情報を生成し、該生成された標準化設計変更情報を読み出した振分基準情報に基づいて振分け、該振分けられた標準化設計変更情報を端末装置のうち担当者端末装置へ送信し、該送信された標準化設計変更情報に対して、情報が入力された入力後標準化設計変更情報を担当者端末装置から受信し、記憶手段から進捗管理生成情報を読み出し、受信した入力後標準化設計変更情報と読み出した進捗管理生成情報とに基づいて進捗管理情報を生成し、該生成した進捗管理情報を記憶手段に格納し、進捗管理情報の取得要求を端末装置から受信し、該受信した取得要求に基づいて、記憶手段から進捗管理情報を読み出し、該読み出した進捗管理情報を取得要求した端末装置へ送信する。
【０００７】
請求項３の発明は、処理手段が入力後標準化設計変更情報を端末装置のうち仕入先端末装置へ送信する。
【０００８】
請求項４の発明は、処理手段が入力後標準化設計変更情報に基づいて端末装置のうち仕入先端末装置への問い合わせ情報を生成し、該生成した問い合わせ情報を仕入先端末装置へ送信する。ここで、「問い合わせ情報」とは、仕入先へ確認するものであり、例えば、仕入先に対しての督促状が該当する。
【０００９】
請求項５の発明は、処理手段が当該進捗管理システムのオペレータと該処理手段が処理した日時、処理内容、及び処理件数とを関連付けて記憶手段に格納する。具体的には、後述する図３に示すものである。
【００１０】
請求項６の発明は、進捗管理情報が所定の業種と該業種に関連する作業項目との関連付けの情報を含んでいることを特徴とする。具体的には、後述する図３に示すものである。
【００１１】
請求項７の発明は、請求項１の発明を実行させるための進捗管理システム動作プログラムである。
【００１２】
請求項８の発明は、請求項２の発明を実行させるための進捗管理システム動作プログラムである。
【００１３】
請求項９の発明は、請求項３の発明を実行させるための進捗管理システム動作プログラムである。
【００１４】
請求項１０の発明は、請求項４の発明を実行させるための進捗管理システム動作プログラムである。
【００１５】
請求項１１の発明は、請求項５の発明を実行させるための進捗管理システム動作プログラムである。
【００１６】
請求項１２の発明は、請求項６の発明を実行させるための進捗管理システム動作プログラムである。
【００１７】
これにより、前述した目的を達成しようとするものである。
【００１８】
【発明の実施の形態】
〔実施の形態１〕
以下、本発明の実施形態１について、図１から図１１を用いて説明する。
【００１９】
図１は、通信ネットワークを介して端末装置、担当者端末装置、仕入先端末装置、及び生産管理システムと接続された進捗管理システムの一例を示す概念図である。同図は、進捗管理システム１００が、通信ネットワーク１０１を介して担当者端末装置１０２、仕入先端末装置１０３、その他端末装置１０４、生産管理システム１０５に接続されている。ここで、担当者端末装置１０２、仕入先端末装置１０３、及びその他端末装置１０４は、一に限らず複数あっても構わない。
【００２０】
図２は、進捗管理システムの構成の一例を示すブロック図である。同図に示すように、進捗管理システムは、通信手段２００、記憶手段２０１、処理手段２０２から構成されている。通信手段２００は、例えば、通信ボード等が該当する。また、記憶手段２０１は、例えば、ＲＯＭ、ＲＡＭ、ＨＤＤ等に該当する。また、処理手段２０２はＣＰＵに該当する。
【００２１】
図３は、標準化設計変更情報の一例を示すテーブルのデータ構造図である。ここで、同図に示す「仕入先情報」は、仕入先の名称や住所等の情報である。また、該標準化設計変更情報は、「発行日」、「ＥＣＮ　Ｎｏ」、「指示書Ｎｏ」、「希望実施時期」、「工場」、「部番」、「名称」、「設計ＳＦ」、「生産ＳＦ」、「工程順序」、「変更事項」、「支給部品の有無」、「指示内容」、「設計変更に伴う部品単価の見積もり」の情報を含む。
【００２２】
図４は、担当者の発行日別の進捗管理情報の一例を示すテーブルのデータ構造図である。同図は、設計変更に対する処理状況を把握することができる。該進捗管理情報は、「担当者」、「発行日」、「設変処理区」、「ＥＣＮ　Ｎｏ」、「工場」、「指示書Ｎｏ」、「部番」等の情報を含む。その中の処理の作業項目である「インプット」、「連絡書送付」、「打ち合わせ」、「見積書要求」、「注文振替」、「ＬＴマスタ」について説明する。この作業項目には、各作業項目の処理状況を示すフラグが立つ。例えば、この作業項目に対して処理が終了した場合には各作業項目毎に「済」のフラグが立つ。この「済」のフラグがすべての作業項目について立てば完済となり、該当する設計変更は終了する。ここで、すべての設計変更に対してすべての作業項目が必要であるとは限らない。ある設計変更に対しては、一部の作業項目が不要な場合もある。この場合、不必要な作業項目に対しては、不要であることを示す文字や記号のフラグが立つ。例えば、「×」のようなフラグが立つ。
【００２３】
図５は、問い合わせ情報の一例を示すテーブルのデータ構造図である。ここで、同図に示す「仕入先情報」は、上述した仕入先の名称や住所等の情報である。「担当者情報」は、当該設計変更を担当した者の所属部署や氏名等の情報である。「問い合わせ内容」は、仕入先への問い合わせ内容である。「対象部番・設計変更内容」は、上述した設計変更の対象となる部番と変更事項の情報である。「提出期限」は、仕入先の回答期限の情報である。「返却・連絡先」は、仕入先から問い合わせをする場合の連絡先の情報である。
【００２４】
図６は、当該進捗管理システムのオペレータと処理手段が処理した日時、処理内容、及び処理件数との関連付けの情報の一例を示すテーブルのデータ構造図である。同図は、処理の日時、処理内容、処理件数、及びオペレータを関連付けて構成されている。
【００２５】
次に、本実施形態の動作を図７から図１１に基づいて説明する。なお、進捗管理システム動作プログラムを読み込んだ進捗管理システムが以下の各ステップを実行する。
【００２６】
図７は、進捗管理システムが生産管理システムから設計変更情報を受信し、該設計変更情報を担当者端末装置へ送信するまでのフローの一例を示すフロー図である。同図に示すように、ステップｓ１からｓ６まであり、以下に順を追って説明する。まず、ステップｓ１では、処理手段２０２は、通信手段２００を介して生産管理システム１０５から設計変更情報を受信する。ステップｓ２では、処理手段２０２は、受信した設計変更情報を記憶手段２０１に格納する。ステップｓ３では、処理手段２０２は、記憶手段２０１に格納された設計変更情報と振分基準情報と標準化生成情報とを読み出す。ステップｓ４では、処理手段２０２は、読み出した振分基準情報に基づいて設計変更情報を振分ける。ステップｓ５では、処理手段２０２は、振分けられた設計変更情報と読み出した標準化生成情報とに基づいて上記図３に示す標準化設計変更情報を生成する。ステップｓ６では、処理手段２０２は、生成された標準化設計変更情報を担当者端末装置１０２へ送信する。
【００２７】
図８は、進捗管理システムが担当者端末装置から入力後標準化設計変更情報を受信してから、端末装置から進捗管理情報の取得要求に応じて端末装置へ進捗管理情報を送信するまでのフローの一例を示すフロー図である。同図は、上記図７のフローに続くフロー図であり、ステップｔ１からｔ７まであり、以下に順を追って説明する。まず、ステップｔ１では、処理手段２０２は、送信された標準化設計変更情報に対して、情報が入力された入力後標準化設計変更情報を担当者端末装置１０２から受信する。ステップｔ２では、処理手段２０２は、進捗管理生成情報を記憶手段２０１から読み出す。ステップｔ３では、処理手段２０２は、受信した入力後標準化設計変更情報と読み出した進捗管理生成情報とに基づいて進捗管理情報を生成する。ステップｔ４では、処理手段２０２は、生成した進捗管理情報を記憶手段２０１へ格納する。ステップｔ５では、処理手段２０２は、進捗管理情報の取得要求を担当者端末装置１０２、仕入先端末装置１０３、またはその他端末装置１０４から受信する。ステップｔ６では、処理手段２０２は、受信した取得要求に基づいて進捗管理情報を記憶手段２０１から読み出す。ステップｔ７では、処理手段２０２は、読み出した進捗管理情報を取得要求をした端末装置へ送信する。
【００２８】
図９は、進捗管理システムが生産管理システムから設計変更情報を受信し、該設計変更情報を担当者端末装置へ送信するまでのフローの一例を示すフロー図である。同図は上記図７のステップｓ４とステップｓ５との処理手順を変えたフロー図である。つまり、先に標準化設計変更情報を生成してから振分基準情報に基づいて振分ける処理手順となっている。同図は、ステップｕ１からｕ６まであり、以下に順を追って説明する。ステップｕ１からステップｕ３までは、上記図７のステップｓ１からステップｓ３までと同様の内容であるため、説明を省略する。ステップｕ４では、処理手段２０２は、読み出した設計変更情報と標準化生成情報とに基づいて標準化設計変更情報を生成する。ステップｕ５では、処理手段２０２は、生成された標準化設計変更情報を読み出した振分基準情報に基づいて振分ける。ステップｕ６では、処理手段２０２は、振分けられた標準化設計変更情報を端末装置のうち担当者端末装置１０２へ送信する。
【００２９】
図１０は、進捗管理システムが入力後標準化設計変更情報を受信してから仕入先端末装置へ送信するまでのフローの一例を示すフロー図である。同図は、上記図８とは別の処理フロー図であって、上記図７のフローに続くフロー図である。また、同図に示すように、ステップｖ１からｖ２まであり、以下に順を追って説明する。まず、ステップｖ１では、処理手段２０２は、上記図８のステップｔ１と同様に、標準化設計変更情報に対して情報が入力された入力後標準化設計変更情報を仕入先端末装置１０３から受信する。ステップｖ２では、処理手段２０２は、受信した入力後設計変更情報を仕入先端末装置１０３へ送信する。ここで、入力後標準化設計変更情報は、上記図８に示す標準化設計変更情報に必要事項が入力されたものであり仕入先情報は変わらないため、処理手段２０２は送信の際、入力後標準化設計変更情報の仕入先情報を読み出し、該仕入先情報に基づいて仕入先端末装置１０３へ送信する。
【００３０】
図１１は、進捗管理システムが問い合わせ情報を生成して仕入先端末装置へ送信するまでのフローの一例を示すフロー図である。同図に示すように、ステップｗ１からｗ３まであり、以下に順を追って説明する。まず、ステップｗ１では、処理手段２０２は、上記図１０のステップｖ１と同様に、標準化設計変更情報に対して情報が入力された入力後標準化設計変更情報を仕入先端末装置１０３から受信する。ステップｗ２では、処理手段２０２は、受信した入力後標準化設計変更情報の仕入先情報、希望実施時期、部番、変更事項、そして指示内容等を読み出し、上記図５に示す問い合わせ情報を生成する。ステップｗ３では、処理手段２０２は、生成した問い合わせ情報の提出期限をすぎた問い合わせ情報を仕入先端末装置１０３へ送信する。
【００３１】
このように、本実施形態１によれば、設計変更連絡書の配布や回収に手間を要さず、記入漏れや記入ミスをなくし、正確な進捗状況を把握することができる。
【００３２】
また、処理手段２０２は入力後標準化設計変更情報を端末装置のうち仕入先端末装置１０３へ送信することによって、設計変更を迅速に、かつ確実に伝えることができる。
【００３３】
また、処理手段２０２は入力後標準化設計変更情報に基づいて端末装置のうち仕入先端末装置１０３への問い合わせ情報を生成し、生成した問い合わせ情報を仕入先端末装置１０３へ送信することによって、仕入先から確実に回答を得ることができる。
【００３４】
また、処理手段２０２は当該進捗管理システムのオペレータと、該処理手段２０２が処理した日時、処理内容、及び処理件数とを関連付けて記憶手段２０１に格納することによって、システムのトラブルや誤操作等の異常をチェックすることができる。
【００３５】
また、進捗管理情報は所定の業種と該業種に関連する作業項目との関連付けの情報を含むことによって、各作業項目毎の処理状況を把握することができる。
【００３６】
ここで、本発明は、上記実施形態に限られるものではない。例えば、仕入先端末装置１０３に入力後標準化設計変更情報を送信する際に、図面データをあわせて送信しても構わない。
【００３７】
また、設計変更に伴い、生産管理を担当する端末装置へ処理依頼を送信しても構わない。
【００３８】
【発明の効果】
本発明は、上記のように構成され機能するので、設計変更連絡書の配布や回収に手間を要さず、記入漏れや記入ミスをなくし、正確な進捗状況を把握することができる。
【図面の簡単な説明】
【図１】通信ネットワークを介して端末装置、担当者端末装置、仕入先端末装置、及び生産管理システムと接続された進捗管理システムの一例を示す概念図である。
【図２】進捗管理システムの構成の一例を示すブロック図である。
【図３】標準化設計変更情報の一例を示すテーブルのデータ構造図である。
【図４】担当者の発行日別の進捗管理情報の一例を示すテーブルのデータ構造図である。
【図５】問い合わせ情報の一例を示すテーブルのデータ構造図である。
【図６】当該進捗管理システムのオペレータと処理手段が処理した日時、処理内容、及び処理件数との関連付けの情報の一例を示すテーブルのデータ構造図である。
【図７】進捗管理システムが生産管理システムから設計変更情報を受信し、該設計変更情報を担当者端末装置へ送信するまでのフローの一例を示すフロー図である。
【図８】進捗管理システムが担当者端末装置から入力後標準化設計変更情報を受信してから、端末装置から進捗管理情報の取得要求に応じて端末装置へ進捗管理情報を送信するまでのフローの一例を示すフロー図である。
【図９】進捗管理システムが生産管理システムから設計変更情報を受信し、該設計変更情報を担当者端末装置へ送信するまでのフローの一例を示すフロー図である。
【図１０】進捗管理システムが入力後標準化設計変更情報を受信してから仕入先端末装置へ送信するまでのフローの一例を示すフロー図である。
【図１１】進捗管理システムが問い合わせ情報を生成して仕入先端末装置へ送信するまでのフローの一例を示すフロー図である。
【符号の説明】
１００　進捗管理システム
１０１　通信ネットワーク
１０２　担当者端末装置
１０３　仕入先端末装置
１０４　その他端末装置
１０５　生産管理システム
２００　通信手段
２０１　記憶手段
２０２　処理手段
【図１】
2004118248.tif 000003
【図２】
2004118248.tif 000004
【図３】
2004118248.tif 000005
【図４】
2004118248.tif 000006
【図５】
2004118248.tif 000007
【図６】
2004118248.tif 000008
【図７】
2004118248.tif 000009
【図８】
2004118248.tif 000010
【図９】
2004118248.tif 000011
【図１０】
2004118248.tif 000012
【図１１】
2004118248.tif 000013